(57)【要約】【課題】掃除機本体と接続部との接続の操作性は低下させることなく、エアータイト性を向上させることで、集塵性能の向上を実現した電気掃除機を提供することを目的としている。【解決手段】吸引風を発する電動送風機２と、前記電動送風機の吸気上流側に塵埃を捕集する集塵部３と、前記集塵部３に連通する略円筒状の連通路７とを有する掃除機本体１と、前記連通路７に挿入する接続管１１を設けるとともに、前記接続管１１の外表面または前記連通路７の内表面に凸部１２を設け、前記接続管１１を前記連通路７に挿入したとき、前記接続管１１の外形形状が変形するように構成したもので、前記接続管１１を前記連通路７に挿入したとき凸部１２により前記接続管を圧縮変形させるものである。【選択図】  図１
2004267683.tif 000002
【特許請求の範囲】
【請求項１】
吸引風を発する電動送風機と、前記電動送風機の吸気上流側に塵埃を捕集する集塵部と、前記集塵部に連通する略円筒状の連通路とを有する掃除機本体と、被掃除面上の塵埃を吸引する吸込具と、前記吸込具と前記集塵部とを接続する接続部とを備え、前記接続部の一端に前記連通路に挿入する接続管を設けるとともに、前記接続管の外表面または前記連通路の内表面に凸部を設け、前記接続管を前記連通路に挿入したとき、前記接続管の外形形状が変形するように構成した電気掃除機。
【請求項２】
連通路と集塵部との間に、接続管と集塵部との気密を保持するための吸気口パッキンを設け、前記接続管を前記連通路に挿入したとき、前記接続管の外周囲を前記吸気口パッキンによりシールするように構成した請求項１記載の電気掃除機。
【請求項３】
凸部を、接続管の外表面または連通路の内表面の半円周内に複数設けた請求項１または２記載の電気掃除機。
【請求項４】
凸部を、連通路の接続管の挿入方向に向かって突出代が高くなるように傾斜状に形成した請求項１〜３のいずれか１項に記載の電気掃除機。
【請求項５】
凸部を、連通路の吸気口パッキン近傍のみに設けた請求項２記載の電気掃除機。
【発明の詳細な説明】
【０００１】
【発明の属する技術分野】
本発明は、一般家庭用電気掃除機に関するものである。
【０００２】
【従来の技術】
従来の電気掃除機について、図７〜図８を用いて説明する。図７において、１は、吸引風を発する電動送風機２を内蔵する掃除機本体で、前方には吸引した塵埃を捕集する集塵部である紙袋３を装着する集塵室４を有し、この集塵室４の上方には集塵室４を開閉自在に覆う蓋体５を備えている。７は掃除機本体１前方に係合したホース取付部である。９は掃除機本体１に設けた本体吸込口であり、本体吸込口９にはホース接続パイプ１１と集塵室４との気密を保持するため、吸気口パッキン１０を有している（例えば、特許文献１参照）。
【０００３】
【特許文献１】
特開平０５−０４２０９１号公報
【０００４】
【発明が解決しようとする課題】
しかしながら、上記従来の構成においては、図８に示すように、ホース接続パイプ１１自体が射出成形時でのバラツキ等により変形して、真円ではなく楕円形状１３になっている場合に対し、楕円形状１３のホース接続パイプ１１の短径部分において、吸気口パッキン１０と隙間１４を生じてエアータイトが不十分となり、空気が流入して吸引力のロスを生じ集塵性能の低下を招く問題があった。
【０００５】
しかしながら、ホース接続パイプは容易に抜き差しできなければならないから、ホース接続パイプとの密着性を良くするために、吸気口パッキン１０の内径を小さくすることには限界があり、従来の構成では、この場合におけるエアータイトは十分にすることはできなかった。
【０００６】
本発明は、上記課題を解決するもので、掃除機本体と接続部との接続の操作性は低下させることなく、エアータイト性を向上させることで、集塵性能の向上を実現した電気掃除機を提供することを目的としている。
【０００７】
【課題を解決するための手段】
上記目的を達成するために本発明は、吸引風を発する電動送風機と、前記電動送風機の吸気上流側に塵埃を捕集する集塵部と、前記集塵部に連通する略円筒状の連通路とを有する掃除機本体と、被掃除面上の塵埃を吸引する吸込具と、前記吸込具と前記集塵部とを接続する接続部とを備え、前記接続部の一端に前記連通路に挿入する接続管を設けるとともに、前記接続管の外表面または前記連通路の内表面に凸部を設け、前記接続管を前記連通路に挿入したとき、前記接続管の外形形状が変形するように構成したもので、射出成形時でのバラツキ等により変形して真円ではなく楕円形状になっている接続管を、前記接続管の外表面または前記連通路の内表面に凸部を設け、前記接続管を前記連通路に挿入したとき凸部により前記接続管を圧縮変形させて、真円に矯正することで、前記接続管ホースと吸気口パッキンとの隙間をなくし、エアータイト性を向上させ、空気漏れをなくして集塵性能を向上できる。
【０００８】
【発明の実施の形態】
本発明の請求項１記載の発明は、吸引風を発する電動送風機と、前記電動送風機の吸気上流側に塵埃を捕集する集塵部と、前記集塵部に連通する略円筒状の連通路とを有する掃除機本体と、被掃除面上の塵埃を吸引する吸込具と、前記吸込具と前記集塵部とを接続する接続部とを備え、前記接続部の一端に前記連通路に挿入する接続管を設けるとともに、前記接続管の外表面または前記連通路の内表面に凸部を設け、前記接続管を前記連通路に挿入したとき、前記接続管の外形形状が変形するように構成したもので、射出成形時でのバラツキ等により変形して真円ではなく楕円形状になっている接続管を、前記接続管の外表面または前記連通路の内表面に凸部を設け、前記接続管を前記連通路に挿入したとき凸部により前記接続管を圧縮変形させて、真円に矯正することで、前記接続管ホースと吸気口パッキンとの隙間をなくし、エアータイト性を向上させ、空気漏れをなくして集塵性能を向上できる。
【０００９】
本発明の請求項２記載の発明は、連通路と集塵部との間に、接続管と集塵部との気密を保持するための吸気口パッキンを設け、前記接続管を前記連通路に挿入したとき、前記接続管の外周囲を前記吸気口パッキンによりシールするように構成した連通路と集塵部との間に、接続管と集塵部との気密を保持するための吸気口パッキンを設け、前記接続管を前記連通路に挿入したとき、前記接続管の外周囲を前記吸気口パッキンによりシールするように構成したもので、射出成形時でのバラツキ等により変形して真円ではなく楕円形状になっている接続管を、前記接続管の外表面または前記連通路の内表面に凸部を設け、前記接続管を前記連通路に挿入したとき凸部により前記接続管を圧縮変形させて、真円に矯正することで、前記接続管ホースと吸気口パッキンとの隙間をなくし、エアータイト性を向上させ、空気漏れをなくして集塵性能を向上できる。
【００１０】
本発明の請求項３記載の発明は、凸部を、接続管の外表面または連通路の内表面の半円周内に複数設けたもので、楕円形状になっている接続管を複数の凸部で、より確実に真円に矯正することができ、接続管と吸気口パッキンとの隙間をなくし、エアータイト性を向上させ、空気漏れをなくして掃除機の集塵性能の低下を防止できる。
【００１１】
本発明の請求項４記載の発明は、凸部を、連通路の接続管の挿入方向に向かって突出代が高くなるように傾斜状に形成したもので、接続管を挿入しながら真円に圧縮矯正させる際の抵抗を減らし、操作性を向上させることができる。
【００１２】
本発明の請求項５記載の発明は、凸部を、連通路の吸気口パッキン近傍のみに設けたもので、接続管の挿入し始めの抵抗をなくし、奥側まで挿入した時点でのみ、真円に圧縮矯正させる抵抗がかかる様にしたことで、より操作性を向上させることができる。
【００１３】
【実施例】
以下、本発明の一実施例を図１〜図６に基づいて説明する。なお、上記従来例と同一構成部品については、同一符号を付して、その説明を省略する。
【００１４】
図１〜図４において、１は吸引風を発する電動送風機２を内蔵する掃除機本体で、前方には吸引した塵埃を捕集する集塵部である紙袋３を装着する集塵室４を有し、この集塵室４の上方には集塵室４を開閉自在に覆う蓋体５を備えている。７は紙袋３と連通する略円筒状の連通路なるホース取付部で、被掃除面上の塵埃を吸引する吸込具（図示せず）と前記紙袋３とを連通させるための接続部であるホース１８が一端に有する略円筒状の接続管であるホース接続パイプ１１を挿入する部分である。９は掃除機本体１に設けた本体吸込口であり、本体吸込口９にはホース接続パイプ１１と集塵室４との気密を保持するため、略円形状の開口部を有する吸気口パッキン１０を設けている。
【００１５】
ホース取付部７の内周面の一部には、凸部Ａ１２をホース接続パイプ１１の着脱方向に設け、ホース取付部７の内周面の凸部Ａ１２の中央を通る直線最小距離が、ホース接続パイプ１１の直径より小さく、かつ吸気口パッキン１０の開口部の内径（直径）より大きくなるように設定している。
【００１６】
上記構成による作用は以下の通りである。
【００１７】
図１及び図３に示すように、ホース取付部７の内面の一個所に凸部Ａ１２をホース接続パイプ１１の着脱方向に設けたことで、ホース取付部７の内面に設けた凸部Ａ１２とホース取付部７の内周面の前記凸部Ａ１２との対向部とにより、楕円形状１３になっていたホース接続パイプ１１を、圧縮変形させて真円に矯正し、かつ吸気口パッキン１０の開口部の内径を広げるように変形させることで、ホース接続パイプ１１と吸気口パッキン１０との隙間をなくしてエアータイト性を向上させ、空気漏れをなくして集塵性能の低下を向上することができるものである。なお、前記凸部Ａ１２をホース接続パイプ１１の外表面に設けても上記と同様の作用が得られることは言うまでもない。
【００１８】
また、図４に示すように、凸部Ｂ１５を、ホース取付部７の下半周の範囲において複数個の３個所設けたことにより、楕円形状１３になっているホース接続パイプ１１を、３個所の凸部Ｂ１５で、より確実に真円に矯正することができ、真円に矯正されたホース接続パイプ１１の外周囲が、略円状の吸気口パッキン１０の開口部にて略均等にシールされるため、ホース接続パイプ１１の外周囲が、略円状の吸気口パッキン１０の開口部との隙間１４をほとんどなくすことでエアータイト性を向上させ、空気漏れをなくして集塵性能を向上できる。なお、凸部Ｂ１５を、ホース取付部７の上半周の範囲において３個所設けても、上記と同様の作用が得られることは言うまでもない。
【００１９】
また、図５に示すように、凸部Ｃ１６を、ホース接続パイプ１１が挿入されるホース取付部７の挿入方向に向かって、入口から奥にかけて高くなるように傾斜形状にしたことにより、ホース接続パイプ１１を挿入しながら真円に圧縮矯正させる際の抵抗を減らし、操作性を向上させることができる。
【００２０】
また、図６に示すように、凸部Ｄ１７を、吸気口パッキン１０近傍であるホース取付部７の奥側のみに設けたことにより、ホース接続パイプ１１の挿入し始めの抵抗をなくし、奥側まで挿入した時点でのみ、真円に圧縮矯正させる抵抗がかかる様にしたことで、より操作性を向上させることができる。
【００２１】
【発明の効果】
本発明によれば、掃除機本体と接続部との接続の操作性は低下させることなく、エアータイト性を向上させることで、集塵性能の向上を実現した電気掃除機を提供できる。
【図面の簡単な説明】
【図１】本発明の一実施例を示した掃除機本体の中央側断面図
【図２】同掃除機本体の中央側断面図（接続管接続時）
【図３】同掃除機本体の前方部分図
【図４】同他の掃除機本体の前方部分図
【図５】同他の掃除機本体の中央側断面図
【図６】同他の掃除機本体の中央側断面図
【図７】従来の掃除機本体の中央側断面図
【図８】同掃除機本体の前方部分図
【符号の説明】
１  掃除機本体
２  電動送風機
４  紙袋（集塵部）
７  ホース取付部（連通路）
１０  吸気口パッキン
１１  ホース接続パイプ（接続管）
１２  凸部Ａ
【図１】
2004267683.tif 000003
【図２】
2004267683.tif 000004
【図３】
2004267683.tif 000005
【図４】
2004267683.tif 000006
【図５】
2004267683.tif 000007
【図６】
2004267683.tif 000008
【図７】
2004267683.tif 000009
【図８】
2004267683.tif 000010